(57)【要約】【課題】設置場所周辺の照度に応じて液晶パネルのバックライトの輝度を変化させることにより、バックライトの寿命を延ばす。【解決手段】液晶パネル付集合廊下灯１１、１２、・・・の照度検出用光センサ３６は、自廊下灯の設置場所周辺である病室の出入口周辺の照度を監視しており、この照度検出用光センサにて照度が低いと検出された場合、例えば、夜間時等の場合、アナログスイッチ３７はオン状態となり、ＤＣ−ＡＣインバータユニット３８から液晶パネル３４のバックライト３５へ供給される交流電流の電流値が低く抑えられて当該バックライトは（自動的に）減光されることにより、バックライトの寿命を延ばすことができる。【選択図】　図２
2004147157.tif 000002
【特許請求の範囲】
【請求項１】
病室内の各病床に設けられた呼出ボタン（１ａ、１ｂ、２ａ、２ｂ、・・・）と、前記呼出ボタンからの呼び出しを検出するための液晶パネル付集合廊下灯（１１、１２、・・・）と、前記液晶パネル付集合廊下灯により検出された前記呼び出しを受信するための制御機（２１）と、前記制御機により受信された前記呼び出しが通報される液晶パネル付ナースコール親機（２０）とで構成され、
前記液晶パネル付集合廊下灯には、周辺の照度を検出するための照度検出用光センサ（３６）と、前記照度検出用光センサからのセンサ信号によりオン／オフされるアナログスイッチ（３７）と、前記アナログスイッチのオン／オフにより前記液晶パネル付集合廊下灯の液晶パネル（３４）のバックライト（３５）の輝度を前記周辺の照度に応じて変化させるためのＤＣ−ＡＣインバータユニット（３８）とを備えたことを特徴とするナースコール装置。
【請求項２】
病室内の各病床に設けられた呼出ボタン（１ａ、１ｂ、２ａ、２ｂ、・・・）と、前記呼出ボタンからの呼び出しを検出するための液晶パネル付集合廊下灯（１１、１２、・・・）と、前記液晶パネル付集合廊下灯により検出された前記呼び出しを受信するための制御機（２１）と、前記制御機により受信された前記呼び出しが通報される液晶パネル付ナースコール親機（２０）とで構成され、
前記液晶パネル付ナースコール親機には、周辺の照度を検出するための照度検出用光センサ（５６）と、前記照度検出用光センサからのセンサ信号によりオン／オフされるアナログスイッチ（５７）と、前記アナログスイッチのオン／オフにより前記液晶パネル付ナースコール親機の液晶パネル（５２）のバックライト（５３）の輝度を前記周辺の照度に応じて変化させるためのＤＣ−ＡＣインバータユニット（５８）とを備えたことを特徴とするナースコール装置。
【発明の詳細な説明】
【０００１】
【発明の属する技術分野】
本発明はナースコール装置に係り、特に、病室内の患者に関する各種情報が表示される液晶パネルのバックライトの寿命を延ばすことができるナースコール装置に関する。
【０００２】
【従来の技術】
従来から、ナースセンター側での操作により、病室の出入口に設置された廊下灯の患者情報板に当該病室内の患者に関する各種情報を表示させるナースコールシステムにおける情報表示装置（以下、従来例という。）が提案されている。
【０００３】
従来例において、病室の出入口に設置された廊下灯の患者情報板には、タッチ操作により動作するタッチパネル部、病室内の患者に関する各種情報を表示させる好ましくはカラー液晶からなる液晶パネル部、液晶パネル部の画面の輝度を確保するためのバックライト部、上述の各部を制御するための制御部とが備えられており、患者からの呼び出しがあると、これを検出した制御部により液晶パネル部が制御され、バックライト部の点灯で輝度が確保された当該液晶パネル部の画面に呼出元の患者に関する各種情報を表示させることができる（例えば、特許文献１参照）。
【０００４】
【特許文献１】特開平１０−１９２３４９号公報（第３頁、段落番号［００１３］）
【０００５】
【発明が解決しようとする課題】
しかしながら、従来例において、廊下灯の患者情報板を構成するバックライト部の輝度は、病室の出入口周辺の照度にかかわらず常に一定のレベルであることから、例えば、病室内および病室の出入口周辺の照明が落とされ照度が低いとされる夜間時等において患者からの呼び出しがあると、液晶パネル部の画面は過剰の明るさとなり、バックライト部の寿命が短くなる難点があった。
【０００６】
本発明は、上述の難点を解消するためになされたもので、設置場所周辺の照度に応じて液晶パネルのバックライトの輝度を変化させることにより、バックライトの寿命を延ばすことができるナースコール装置を提供することを目的としている。
【０００７】
【課題を解決するための手段】
上述の目的を達成するため、本発明のナースコール装置は、病室内の各病床に設けられた呼出ボタンと、呼出ボタンからの呼び出しを検出するための液晶パネル付集合廊下灯と、液晶パネル付集合廊下灯により検出された呼び出しを受信するための制御機と、制御機により受信された呼び出しが通報される液晶パネル付ナースコール親機とで構成される。液晶パネル付集合廊下灯には、周辺の照度を検出するための照度検出用光センサと、照度検出用光センサからのセンサ信号によりオン／オフされるアナログスイッチと、アナログスイッチのオン／オフにより液晶パネル付集合廊下灯の液晶パネルのバックライトの輝度を周辺の照度に応じて変化させるためのＤＣ−ＡＣインバータユニットとを備える。
【０００８】
このようなナースコール装置によれば、液晶パネル付集合廊下灯の照度検出用光センサは、自廊下灯の設置場所周辺である病室の出入口周辺の照度を監視しており、この照度検出用光センサにて照度が低いと検出された場合、例えば、夜間時等の場合、アナログスイッチはオン状態となり、ＤＣ−ＡＣインバータユニットから液晶パネルのバックライトへ供給される交流電流の電流値が低く抑えられて当該バックライトは（自動的に）減光されることにより、バックライトの寿命を延ばすことができる。
【０００９】
また、本発明のナースコール装置は、病室内の各病床に設けられた呼出ボタンと、呼出ボタンからの呼び出しを検出するための液晶パネル付集合廊下灯と、液晶パネル付集合廊下灯により検出された呼び出しを受信するための制御機と、制御機により受信された呼び出しが通報される液晶パネル付ナースコール親機とで構成される。液晶パネル付ナースコール親機には、周辺の照度を検出するための照度検出用光センサと、照度検出用光センサからのセンサ信号によりオン／オフされるアナログスイッチと、アナログスイッチのオン／オフにより液晶パネル付ナースコール親機の液晶パネルのバックライトの輝度を周辺の照度に応じて変化させるためのＤＣ−ＡＣインバータユニットとを備える。
【００１０】
このようなナースコール装置によれば、液晶パネル付ナースコール親機の照度検出用光センサは、自親機の設置場所周辺の照度を監視しており、この照度検出用光センサにて照度が低いと検出された場合、例えば、夜間時等の場合、アナログスイッチはオフ状態となり、ＤＣ−ＡＣインバータユニットから液晶パネルのバックライトへ供給される交流電流の電流値が低く抑えられて当該バックライトは（自動的に）減光されることにより、バックライトの寿命を延ばすことができる。
【００１１】
【発明の実施の形態】
以下、本発明のナースコール装置を適用した好ましい形態の実施例について、図面を参照して説明する。
【００１２】
図１は、本発明の実施例によるナースコール装置の全体構成を示すブロック図である。
【００１３】
図１のブロック図に示すナースコール装置は、病室内の各病床、ここでは、１０１号室内、１０２号室内、・・・の各病床に設けられており、病床の患者がナースステーション内の看護師に対して種別が異なる呼び出し、例えば、通常のナースコール呼び出し、緊急を要する緊急呼び出し、トイレ介助要求等の各種呼び出しに応じた操作を行う呼出ボタン、ここでは、病室毎に２台づつ設けられた呼出ボタン１ａ、１ｂ、２ａ、２ｂ、・・・と、各病室の出入口（付近）に設置されており、個別の呼出ボタン接続ラインＬ１ａ、Ｌ１ｂ、Ｌ２ａ、Ｌ２ｂ、・・・を介して接続された呼出ボタン１ａ、１ｂ、２ａ、２ｂ、・・・からの呼び出しを検出して呼出表示を行うとともに、出入口周辺の照度を検出するための機能を有する液晶パネル付集合廊下灯１１、１２、・・・と、ナースステーション内に設置されており、呼出操作が行われた呼出ボタン１ａ、１ｂ、２ａ、２ｂ、・・・からの呼び出しが通報され呼出表示／発報を行うとともに、設置場所周辺の照度を検出するための機能を有する液晶パネル付ナースコール親機２０と、ナースステーション内、または病院内の共用部に設置されており、廊下灯接続ラインＬ１０を介して接続、例えば、渡り配線接続された液晶パネル付集合廊下灯１１、１２、・・・、親機接続ラインＬ１１を介して接続された液晶パネル付ナースコール親機２０をそれぞれ制御（呼出制御、通話制御等）するための制御機２１とで構成されている。
【００１４】
図２は、液晶パネル付集合廊下灯１１、１２、・・・の具体的な構成を示すブロック図である。
【００１５】
図２のブロック図に示す液晶パネル付集合廊下灯１１、１２、・・・はそれぞれ同様な構成であり、当該液晶パネル付集合廊下灯の構成各部／回路を制御するためのＣＰＵ３０と、図１のブロック図に示す呼出ボタン１ａ、１ｂ、２ａ、２ｂ、・・・が接続される個別の呼出ボタン接続ラインＬ１ａ、Ｌ１ｂ、Ｌ２ａ、Ｌ２ｂ、・・・とＣＰＵ３０との間の信号伝送路を形成するためのインターフェース（以下、呼出ボタン側Ｉ／Ｆという。）３１と、自廊下灯を除く他の液晶パネル付集合廊下灯および制御機２１が接続される廊下灯接続ラインＬ１０とＣＰＵ３０との間の信号伝送路を形成するためのインターフェース（以下、制御機側Ｉ／Ｆという。）３２と、ＣＰＵ３０により制御され、呼出ボタン１ａ、１ｂ、２ａ、２ｂ、・・・にて呼出操作を行った患者からの呼び出しを所定のパターンで点灯／点滅表示するための呼出表示灯３３と、ＣＰＵ３０により制御され、呼出ボタン１ａ、１ｂ、２ａ、２ｂ、・・・にて呼出操作を行った患者に関する各種情報を表示するとともに当該廊下灯の使用者、例えば、病院内を巡回中の看護師によりタッチ操作される操作部３４ａを有する液晶パネル３４と、液晶パネル３４の画面の輝度を確保するために点灯されるバックライト３５と、当該液晶パネル付集合廊下灯の設置場所である病室の出入口周辺の照度を検出するための照度検出用光センサ３６と、照度検出用光センサ３６からのセンサ信号によりオン／オフされるアナログスイッチ３７と、アナログスイッチ３７のオン／オフにより液晶パネル３４のバックライト３５の輝度を病室の出入口周辺の照度に応じて（自動的に）変化させる、すなわち、調光電源電圧端子Ｐ２へ印加される直流電源の電圧レベルの相違（後述する）をもとにバックライト３５へ供給される交流電流の電流値を調整するためのＤＣ−ＡＣインバータユニット３８と、ベースが接続されたＣＰＵ３０によりオン／オフ制御され、エミッタに接続された直流電源からの給電をコレクタに接続されたＤＣ−ＡＣインバータユニット３８の動作電源電圧端子Ｐ１へ印加するための（ＰＮＰ型）電源制御トランジスタ３９と、一端、他端が直流電源、基準電位点にそれぞれ接続されており、直流電源からの給電を分圧するための輝度調整用半固定抵抗器４０とが備えられている。
【００１６】
図３は、液晶パネル付ナースコール親機２０の具体的な構成を示すブロック図である。
【００１７】
図３のブロック図に示す液晶パネル付ナースコール親機２０は、当該液晶パネル付ナースコール親機の構成各部／回路を制御するためのＣＰＵ５０と、制御機２１が接続される親機接続ラインＬ１１とＣＰＵ５０および後述する通話部５５との間の信号伝送路を形成するためのインターフェース（以下、制御機側Ｉ／Ｆという。）５１と、ＣＰＵ５０により制御され、図１のブロック図に示す呼出ボタン１ａ、１ｂ、２ａ、２ｂ、・・・にて呼出操作を行った患者に関する各種情報を表示するとともに当該親機の使用者、例えば、ナースステーション内の看護師によりタッチ操作される操作部５２ａを有する液晶パネル５２と、液晶パネル５２の画面の輝度を確保するために点灯されるバックライト５３と、ＣＰＵ５０により制御され、呼出ボタン１ａ、１ｂ、２ａ、２ｂ、・・・にて呼出操作を行った患者からの呼び出しを発報するためのスピーカ５４と、上述の呼出表示／発報を確認したナースステーション内の看護師が呼出元の患者との間で通話を行うための通話部、例えば、ハンドセットからなる通話部５５と、当該液晶パネル付ナースコール親機の設置場所周辺の照度を検出するための照度検出用光センサ５６と、照度検出用光センサ５６からのセンサ信号によりオン／オフされるアナログスイッチ５７と、アナログスイッチ５７のオン／オフにより液晶パネル５２のバックライト５３の輝度を当該液晶パネル付ナースコール親機の設置場所周辺の照度に応じて（自動的に）変化させる、すなわち、調光電源電圧端子Ｐ１２へ印加される直流電源の電圧レベルの相違（後述する）をもとにバックライト５３へ供給される交流電流の電流値を調整するためのＤＣ−ＡＣインバータユニット５８と、ベースが接続されたＣＰＵ５０によりオン／オフ制御され、エミッタに接続された直流電源からの給電をコレクタに接続されたＤＣ−ＡＣインバータユニット５８の動作電源電圧端子Ｐ１１へ印加するための（ＰＮＰ型）電源制御トランジスタ５９と、一端、他端が直流電源、基準電位点にそれぞれ接続されており、直流電源からの給電を分圧するための輝度調整用半固定抵抗器６０とが備えられている。
【００１８】
このように構成された本発明の実施例によるナースコール装置において、以下、具体的な動作について説明する。
【００１９】
図１のブロック図において、病室内の患者、ここでは、１０１号室内で呼出ボタン１ａが病床に設置されている患者がナースステーション内の看護師に対する種別が異なる呼び出しのうち、通常のナースコール呼び出しに該当した操作を行うと、ナースコール呼び出しを示す呼出種別情報を含む呼出信号Ｓ１ａが出力される。この呼出信号Ｓ１ａは、呼出ボタン接続ラインＬ１ａ、図２のブロック図に示す液晶パネル付集合廊下灯１１の呼出ボタン側Ｉ／Ｆ３１を介してＣＰＵ３０に伝送される。
【００２０】
図２のブロック図において、呼出ボタン１ａからの呼出信号Ｓ１ａが入力された液晶パネル付集合廊下灯１１のＣＰＵ３０は、呼出信号Ｓ１ａのデータ伝送路である呼出ボタン接続ラインＬ１ａに予め割り当てられているベッド番号「１」に該当する病床の患者からのナースコール呼び出しがあることを検出する。このＣＰＵ３０は、呼出信号Ｓ１ａに部屋番号（病室番号）「１０１」およびベッド番号「１」を付加させた呼出信号Ｓ１１ａを出力する。この呼出信号Ｓ１１ａは、制御機側Ｉ／Ｆ３２、廊下灯接続ラインＬ１０、図１のブロック図に示す制御機２１、親機接続ラインＬ１１、図３のブロック図に示す液晶パネル付ナースコール親機２０の制御機側Ｉ／Ｆ５１を介してＣＰＵ５０に伝送される。また、ＣＰＵ３０は、上述の呼出信号Ｓ１１ａの出力と併せて、呼出表示灯３３を制御して呼出元に該当する表示灯をナースコール呼び出しを示す所定のパターンで点灯／点滅させるとともに、液晶パネル３４を制御して呼出元の患者に関する各種情報を画面に表示させ、かつ電源制御トランジスタ３９をオン状態に制御して直流電源からの給電を当該トランジスタのエミッタ、コレクタを介してＤＣ−ＡＣインバータユニット３８の動作電源電圧端子Ｐ１へ印加させる。このＤＣ−ＡＣインバータユニット３８は、バックライト３５に動作電源を給電することにより、バックライト３５を点灯させることができる。
【００２１】
ここで、図２のブロック図に示す液晶パネル付集合廊下灯１１、１２、・・・の照度検出用光センサ３６は、自廊下灯が設置されている病室の出入口周辺の照度を監視しており、昼間時等で病室の出入口周辺の照度が十分確保されている場合にはその旨のセンサ信号Ｓ５１を、一方、夜間時等で病室の出入口周辺の照度が低い場合にはその旨のセンサ信号Ｓ５２をアナログスイッチ３７にそれぞれ出力している。
【００２２】
また、図２のブロック図において、液晶パネル付集合廊下灯１１、１２、・・・のアナログスイッチ３７は、照度検出用光センサ３６からのセンサ信号Ｓ５１、Ｓ５２の相違に基づいてオフ／オン制御される。すなわち、照度検出用光センサ３６からのセンサ信号Ｓ５１が入力されてアナログスイッチ３７がオフ状態となる昼間時等には、直流電源からの給電が輝度調整用半固定抵抗器４０を介して分圧された電圧レベル（以下、廊下灯分圧電圧レベルという。）でＤＣ−ＡＣインバータユニット３８の調光用電源電圧端子Ｐ２へと印加され、これを検出したＤＣ−ＡＣインバータユニット３８は、廊下灯分圧電圧レベルに比例させた電流値の交流電流をバックライト３５へ供給して所定の輝度で点灯させることができる。一方、照度検出用光センサ３６からのセンサ信号Ｓ５２が入力されてアナログスイッチ３７がオン状態となる夜間時等には、直流電源からの給電が輝度調整用半固定抵抗器４０の影響を受けずにＤＣ−ＡＣインバータユニット３８の調光用電源電圧端子Ｐ２へと印加され、これを検出したＤＣ−ＡＣインバータユニット３８は、バックライト３５へ供給する交流電流の電流値を低く抑えることにより、バックライト３５は（自動的に）減光され、液晶パネル３４の画面が過剰の明るさとなることはなく、バックライト３５の寿命を延ばすことができる。
【００２３】
図３のブロック図において、呼出ボタン１ａからの呼出信号Ｓ１１ａをもとに１０１号室内でベッド番号が「１」の病床の患者からのナースコール呼び出しがあることを検出した液晶パネル付ナースコール親機２０のＣＰＵ５０は、液晶パネル５２を制御して呼出元の患者に関する各種情報を表示させるとともに、スピーカ５４にて呼出音を発報させ、かつ電源制御トランジスタ５９をオン状態に制御して直流電源からの給電を当該トランジスタのエミッタ、コレクタを介してＤＣ−ＡＣインバータユニット５８の動作電源電圧端子Ｐ１１へ印加させる。このＤＣ−ＡＣインバータユニット５８は、バックライト５３に動作電源を給電することにより、バックライト５３を点灯させることができる。
【００２４】
ここで、図３のブロック図に示す液晶パネル付ナースコール親機２０の照度検出用光センサ５６は、自親機の設置場所周辺の照度を監視しており、昼間時等で設置場所周辺の照度が十分確保されている場合にはその旨のセンサ信号Ｓ６１を、一方、夜間時等で設置場所周辺の照度が低い場合にはその旨のセンサ信号Ｓ６２をアナログスイッチ５７にそれぞれ出力している。
【００２５】
図３のブロック図において、液晶パネル付ナースコール親機２０のアナログスイッチ５７は、照度検出用光センサ５６からのセンサ信号Ｓ６１、Ｓ６２の相違に基づいてオフ／オン制御される。すなわち、照度検出用光センサ５６からのセンサ信号Ｓ６１が入力されてアナログスイッチ５７がオフ状態となる昼間時等には、直流電源からの給電が輝度調整用半固定抵抗器６０を介して分圧された電圧レベル（以下、親機分圧電圧レベルという。）でＤＣ−ＡＣインバータユニット５８の調光用電源電圧端子Ｐ１２へと印加され、これを検出したＤＣ−ＡＣインバータユニット５８は、親機分圧電圧レベルに比例させた電流値の交流電流をバックライト５３へ供給して所定の輝度で点灯させることができる。一方、照度検出用光センサ５６からのセンサ信号Ｓ６２が入力されてアナログスイッチ５７がオン状態となる夜間時等には、直流電源からの給電が輝度調整用半固定抵抗器６０の影響を受けずにＤＣ−ＡＣインバータユニット５８の調光用電源電圧端子Ｐ１２へと印加され、これを検出したＤＣ−ＡＣインバータユニット５８は、バックライト５３へ供給する交流電流の電流値を低く抑えることにより、バックライト５３は（自動的に）減光され、液晶パネル５２の画面が過剰の明るさとなることはなく、バックライト５３の寿命を延ばすことができる。
【００２６】
【発明の効果】
以上の説明から明らかなように、本発明のナースコール装置によれば、液晶パネル付集合廊下灯および液晶パネル付ナースコール親機の照度検出機能にて自廊下灯および自親機の設置場所周辺の照度が低いと検出された場合、例えば、夜間時等の場合、液晶パネルのバックライトへ供給される交流電流の電流値が低く抑えられて当該バックライトは（自動的に）減光されるように、液晶パネルのバックライトの輝度が設置場所周辺の照度に応じて確保され、バックライトの寿命を延ばすことができる。
【図面の簡単な説明】
【図１】本発明の実施例によるナースコール装置の全体構成を示すブロック図である。
【図２】本発明の実施例によるナースコール装置をなす液晶パネル付集合廊下灯の具体的な構成を示すブロック図である。
【図３】本発明の実施例によるナースコール装置をなす液晶パネル付ナースコール親機の具体的な構成を示すブロック図である。
【符号の説明】
１ａ、１ｂ、２ａ、２ｂ、・・・　・・・・・呼出ボタン
１１、１２、・・・　・・・・・液晶パネル付集合廊下灯
２０・・・・・液晶パネル付ナースコール親機
２１・・・・・制御機
３４、５２・・・・・液晶パネル
３５、５３・・・・・（液晶パネルの）バックライト
３６、５６・・・・・照度検出用光センサ
３７、５７・・・・・アナログスイッチ
３８、５８・・・・・ＤＣ−ＡＣインバータユニット
【図１】
2004147157.tif 000003
【図２】
2004147157.tif 000004
【図３】
2004147157.tif 000005